(57)【要約】【課題】従来の車椅子では介護者の手を借りることなく身障者が１人で乗り降りするのが極めて困難であった。【解決手段】車体後部及び座席下部の車体が開放されており、上記座席下面に身障者移動用ベッドを挿入できる空隙を有し、上記座席が左右に２分割自在であり、上記座席を左右に分離した状態で上記ベッドと車体内間で身障者が移動できることを特徴とする。上記座席が車体外に突出自在であり、また、折り畳み自在である。【選択図】図４
2011092372.tif 000002
【特許請求の範囲】
【請求項１】
車体後部及び座席下部の車体が開放されており、上記座席下面に身障者移動用ベッドを挿入できる空隙を有し、上記座席が左右に２分割自在であり、上記座席を左右に分離した状態で上記ベッドと車体内間で身障者が移動できることを特徴とする車椅子。
【請求項２】
上記座席が車体外に突出自在であることを特徴とする請求項１記載の車椅子。
【請求項３】
上記座席が折り畳み自在であることを特徴とする請求項１または２記載の車椅子。
【発明の詳細な説明】
【技術分野】
【０００１】
本発明は、車椅子、特に、車体内の座席の下面に身障者移動用ベッドを挿入でき、座席を左右に分離移動可能で、身障者の車内に対する乗り降りが容易になる車椅子に関するものである。
【背景技術】
【０００２】
座席を分離して車外側方に引き出し得るようにした車椅子は特許文献１に示されている。
【０００３】
然しながらこのような車椅子では車椅子とベッド間で身障者が容易に乗り降りできるようにはなっていない欠点があった。
【先行技術文献】
【特許文献】
【０００４】
【特許文献１】特開２００１−３５４０５５号公報
【発明の概要】
【発明が解決しようとする課題】
【０００５】
本発明の目的は上記従来の車椅子の欠点を除くことにある。
【課題を解決するための手段】
【０００６】
本発明の車椅子は、車体後部及び座席下部の車体が開放されており、上記座席下面に身障者移動用ベッドを挿入できる空隙を有し、上記座席が左右に２分割自在であり、上記座席を左右に分離した状態で上記ベッドと車体内間で身障者が移動できることを特徴とする。
【０００７】
上記座席は車体外に突出自在である。
【０００８】
上記座席は折り畳み自在である。
【発明の効果】
【０００９】
本発明の車椅子によれば、車内の座席を２分割して左右に移動し、身障者移動用ベッドを座席の下面に挿入すればベッドと車体内間で身障者が容易に移動できるようになる。また、車椅子をトイレ室に乗り入れた場合には、トイレ使用の際座席４を左右に分離する必要があるが、この場合、座席４を折り畳んで左右に分離せしめれば車外に突出する座席の大きさが減少し、全体の車幅を小さくできるからトイレ室の幅が狭い場合にもこれに対応できるようになる。
【図面の簡単な説明】
【００１０】
【図１】本発明の車椅子の平面図である。
【図２】本発明の車椅子の正面図である。
【図３】座席を折り畳む過程を示す正面図である。
【図４】座席を折り畳み左右に分離した状態を示す平面図である。
【図５】座席を折り畳み左右に分離した状態を示す正面図である。
【図６】座席を折り畳み左右に分離した状態を示す背面図である。
【図７】身障者の着座するベッドに車椅子を近づける状態の正面図である。
【図８】車体内にベッドを挿入した状態を示す正面図である。
【図９】身障者を車内で移動せしめる状態を示す正面図である。
【図１０】図９に示す状態から座席の折り畳みと左右の移動を解除する過程を示す正面図である。
【図１１】車内の座席上に身障者が着座した状態を示す正面図である。
【発明を実施するための形態】
【００１１】
以下図面によって本発明の実施例を説明する。
【実施例１】
【００１２】
本発明の車椅子１は、図１及び図２に示すように後面と底面の一部が開放自在とされている車体２と、この車体２を支持する車輪３と、車体２の後方に左右に２分割自在に設けた座席４と、この座席４の下面と上記車輪３の上面間に形成された身障者移動用ベッドを挿入可能な間隙５と、上記車体２の前方上部に形成した身障者用スペース６と、手すり７と成る。
【００１３】
左右に２分割自在の上記座席４の夫々は水平方向に延びるシート８と、このシート８の後端部から直角に上方に延びる背もたれ９とにより構成し、図３〜図６に示すようにシート８はその略中間部で上方に直角に折り曲げ可能とし、また上記シート８の前方外端部１０を上記車体２に設けた垂直支柱１１を支点として水平面内で車体外方に向って９０°回動自在に枢支し、上記座席４の夫々の一部または全部が車体２の外側に位置されるようにする。
【００１４】
なお、１２は車椅子１の手動運転ハンドルである。
【００１５】
本発明の車椅子１は上記のような構成であるから、その使用に際しては手動またはリモコン操作により図７に示すように、身障者が着座したベッド１３に向って車椅子１を接近せしめ、図８に示すようにベッド１３を上記車体２内の間隙５内に挿入し、上記座席４の下側に位置せしめた後図９に示すように身障者を身障者用スペース６の床上に起立せしめ、ベッド１３を上記電動車椅子１から離脱せしめる。
【００１６】
次いで図１０に示すように座席４を垂直支柱１１を支点として車体内の元位置に回動して戻し、且つコ字状の折り曲げ状態を解除して元の形に戻し、図１１に示すように座席４上に身障者を着座せしめ、この状態で電動または手動で車椅子を移動せしめる。
【００１７】
身障者を車体２内からベッド１３上に戻す場合には図１１の状態から図９、図８に示す状態に順次戻す作業を行なう。
【００１８】
本発明の車椅子は上記のとおりであるから介護者の手を借りることなく
身障者が１人で車椅子に乗り降りできるようになる。
【００１９】
また、図１１に示す状態でそのまま車椅子１をトイレ室内に入れ、図３及び図４の状態にすれば離間した座席４相互間の間隙及び車体２の底面開口を利用してトイレを使用することができるようになる。この際座席４を折り畳めば車体２から突出する座席４の部分を小さくして幅に余裕のないトイレ室にも容易に入れることができるようになる。
【００２０】
本発明の車椅子１は電動車椅子とすることができ、また、座席４の折り畳み及び左右への分割は手動または電動モータを用いて行なうことができ、また、シート８の折り曲げ部には公知のヒンジを用いることができる。
【００２１】
なお、座席４をその下面から支持する支持手段（図示せず）を高さ調節自在に上記垂直支柱１１その他の部分に設けることが好ましい。
【００２２】
また、上記ベッド１３は他の車椅子であっても良いことは勿論である。
【符号の説明】
【００２３】
１  車椅子
２  車体
３  車輪
４  座席
５  間隙
６  身障者用スペース
７  手すり
８  シート
９  背もたれ
１０  前方外端部
１１  垂直支柱
１２  手動運転ハンドル
１３  ベッド
【図１】
2011092372.tif 000003
【図２】
2011092372.tif 000004
【図３】
2011092372.tif 000005
【図４】
2011092372.tif 000006
【図５】
2011092372.tif 000007
【図６】
2011092372.tif 000008
【図７】
2011092372.tif 000009
【図８】
2011092372.tif 000010
【図９】
2011092372.tif 000011
【図１０】
2011092372.tif 000012
【図１１】
2011092372.tif 000013